(57)【要約】【課題】この発明は、簡易な構成で光ファイバとミラーとを効率的に光接続して光伝送損失の低減を図ることができ、実用に適するレーザ出力装置及びレーザ出力方法を提供することを目的とする。また、この発明は、上記したレーザ出力装置を光源として用いた投射型の映像表示装置を提供することを目的とする。【解決手段】光ファイバ２８の端面と、この光ファイバ２８を伝播する特定の波長の光を反射して光ファイバ２８に戻すミラー３４とを、押し付けた状態で保持することにより、光ファイバ２８とミラー３４との効率的な光接続を図る。【選択図】    図３
2004356578.tif 000002
【特許請求の範囲】
【請求項１】
光ファイバと、
この光ファイバを伝播する特定の波長の光を反射して、前記光ファイバに戻すミラーと、
前記光ファイバの端面と前記ミラーとを押し付けた状態で保持する保持手段とを具備してなることを特徴とするレーザ出力装置。
【請求項２】
光ファイバと、
この光ファイバを伝播する特定の波長の光を反射して、前記光ファイバに戻すミラーと、
前記光ファイバに、前記光ファイバの端面を前記ミラーに押し付けるテンションを発生させるように、前記光ファイバを固定する固定手段とを具備してなることを特徴とするレーザ出力装置。
【請求項３】
前記光ファイバにはレーザ活性物質が添加され、前記ミラーは、レーザ光を用いて前記レーザ活性物質が添加された光ファイバを励起するアップコンバージョンファイバレーザの共振用ミラーであることを特徴とする請求項１または２記載のレーザ出力装置。
【請求項４】
前記光ファイバは、フェルール内に固定されており、前記フェルールは、前記光ファイバとともに端面が研磨されていることを特徴とする請求項１乃至３いずれかに記載のレーザ出力装置。
【請求項５】
前記光ファイバは、フェルール内に固定されており、前記フェルールは、前記光ファイバとともに端面が所定の曲率を持って研磨されていることを特徴とする請求項１乃至３いずれかに記載のレーザ出力装置。
【請求項６】
前記保持手段は、前記フェルールに与えられるばねの付勢力によって、前記光ファイバの端面と前記ミラーとを押し付けることを特徴とする請求項１，３乃至５いずれかに記載のレーザ出力装置。
【請求項７】
前記保持手段は、前記ミラーに与えられるばねの付勢力によって、前記光ファイバの端面と前記ミラーとを押し付けることを特徴とする請求項１，３乃至５いずれかに記載のレーザ出力装置。
【請求項８】
前記光ファイバによって励起された光を、映像信号に基づいて空間変調する変調手段を具備してなることを特徴とする請求項１乃至７いずれかに記載のレーザ出力装置。
【請求項９】
光ファイバの端面と、この光ファイバを伝播する特定の波長の光を反射して前記光ファイバに戻すミラーとを、押し付けた状態で保持することを特徴とするレーザ出力方法。
【請求項１０】
前記光ファイバによって励起された光を、映像信号に基づいて空間変調する工程を具備してなることを特徴とする請求項９記載のレーザ出力方法。
【請求項１１】
光ファイバの端面と、この光ファイバを伝播する特定の波長の光を反射して前記光ファイバに戻すミラーとが、押し付けられた状態で保持されたファイバレーザ装置と、
このファイバレーザ装置から出力される光を、映像信号に基づいて空間変調する変調手段と、
この変調手段から得られる光出力をスクリーンに投射して表示させる表示手段とを具備してなることを特徴とする映像表示装置。
【請求項１２】
前記ファイバレーザ装置及び前記変調手段は、Ｒ，Ｇ，Ｂ光にそれぞれ対応して設置され、前記表示手段は、Ｒ，Ｇ，Ｂ光に対応する各変調手段からの光出力を合成して前記スクリーンに投射することを特徴とする請求項１１記載の映像表示装置。
【請求項１３】
前記ファイバレーザ装置は、Ｒ，Ｇ，Ｂ光にそれぞれ対応して設置され、前記変調手段は、Ｒ，Ｇ，Ｂ光に対応する各光ファイバの出力光をまとめた白色光を空間変調することを特徴とする請求項１１記載の映像表示装置。
【発明の詳細な説明】
【０００１】
【発明の属する技術分野】
この発明は、高出力のレーザ光を出射可能なレーザ出力装置及びレーザ出力方法に係り、特に光ファイバ内を伝播される特定の波長のレーザ光をミラーにより光ファイバ内に戻すようにしたものの改良に関する。また、この発明は、上記のレーザ出力装置を光源として使用した投射型の映像表示装置に関する。
【０００２】
【従来の技術】
周知のように、光通信の分野では、光伝送用の光ファイバと光伝送用モジュールとを効率的に光接続するための接続手段や、光ファイバ同士を効率的に光接続するための接続手段等に関して種々の技術開発が行なわれており、様々な構成の接続手段が考えられている。
【０００３】
例えば、特許文献１には、それぞれの内部に光ファイバが固定された２つのフェルールを、それらの光入出射口同士がばねによって圧接されるように接続することにより、フェルール同士を密着させて光伝送損失を低減するようにした構成が開示されている。
【０００４】
一方、近年では、例えば液晶プロジェクタ等のような投射型の映像表示装置における光源として、半導体レーザ素子を使用するための開発が行なわれている。この種の映像表示装置では、半導体レーザ素子から出射されたレーザ光を、ファイバレーザ装置を介して、映像信号による空間変調に供させている。
【０００５】
このファイバレーザ装置は、半導体レーザ素子から出射されたレーザ光を、レーザ活性物質がコア内に添加された光ファイバに入射させ、ミラーを用いて特定の波長のレーザ光を光ファイバ内に戻して共振させることにより、高出力のレーザ光を得るようにしたものである。
【０００６】
このため、ダブルクラッドを有する光ファイバを用いたファイバレーザ装置に関しても、様々な技術開発が盛んに行なわれている。例えば、特許文献２には、高出力レーザ光を取り出すための多層膜ミラーとダブルクラッドファイバとに関する技術が記載されている。
【０００７】
しかしながら、この特許文献２には、ファイバと多層膜ミラーとを光接続する技術に関して、先の特許文献１に光ファイバ同士を光接続する技術で提案されているような、接続間における光伝送損失を低減させるという技術は何ら記載されていないものである。
【０００８】
なお、レーザ活性物質が添加された光ファイバ内で、ミラーを用いてレーザ光を共振させる技術は、特許文献３乃至５にも記載されている。しかしながら、これらの特許文献３乃至５にも、光ファイバとミラーとを効率的に光接続して伝送損失を低減させる技術については何も記載されていないものである。
【０００９】
【特許文献１】
特開平１１−２５８４５７号公報
【００１０】
【特許文献２】
特開平１１−１２１８３６号公報
【００１１】
【特許文献３】
特開平１０−０２２５６０号公報
【００１２】
【特許文献４】
特開平０６−０３７３７１号公報
【００１３】
【特許文献５】
特開平０８−０９７４９２号公報
【００１４】
【発明が解決しようとする課題】
以上のように、光伝送手段として光ファイバ同士の接続において、光損失をなくすようにした手段は多く考えられている。しかしながら、光ファイバとミラーとの接続に関して、接続間の光損失を低減させるための具体的な手段は、まだ提案されていないのが現状である。
【００１５】
特に、光ファイバを用いたレーザ装置の場合、光ファイバと共振用ミラーとを接続する際、もしくは、特定の波長の光を反射するためのミラーを光ファイバに接続する際に、固着時のずれにより隙間が生じると、光の損失が大きくなり出力の低下等の問題が発生する。
【００１６】
また、光ファイバの光入出射端面に、多層膜ミラーを直接蒸着することによって、光ファイバとミラーとを効率的に光接続して光伝送損失を低減させるという手段も考えられるが、光ファイバが熱に耐えられないとともに、経済的にも不利になってしまうので、実用には不向きである。
【００１７】
そこで、この発明は上記事情を考慮してなされたもので、簡易な構成で光ファイバとミラーとを効率的に光接続して光伝送損失の低減を図ることができ、実用に適するレーザ出力装置及びレーザ出力方法を提供することを目的とする。また、この発明は、上記したレーザ出力装置を光源として用いた投射型の映像表示装置を提供することを目的とする。
【００１８】
【課題を解決するための手段】
この発明に係るレーザ出力装置は、光ファイバと、この光ファイバを伝播する特定の波長の光を反射して光ファイバに戻すミラーと、光ファイバの端面とミラーとを押し付けた状態で保持する保持手段とを備えるようにしたものである。
【００１９】
また、この発明に係るレーザ出力方法は、光ファイバの端面と、この光ファイバを伝播する特定の波長の光を反射して光ファイバに戻すミラーとを、押し付けた状態で保持するようにしたものである。
【００２０】
さらに、この発明に係る映像表示装置は、光ファイバの端面と、この光ファイバを伝播する特定の波長の光を反射して光ファイバに戻すミラーとが、押し付けられた状態で保持されたファイバレーザ装置と；このファイバレーザ装置から出力される光を、映像信号に基づいて空間変調する変調手段と；この変調手段から得られる光出力をスクリーンに投射して表示させる表示手段とを備えるようにしたものである。
【００２１】
上記のような構成及び方法によれば、光ファイバの端面と、この光ファイバを伝播する特定の波長の光を反射して光ファイバに戻すミラーとを、押し付けた状態で保持するようにしたので、簡易な構成で光ファイバとミラーとを効率的に光接続して光伝送損失の低減を図ることができ、実用に適するものとなる。
【００２２】
【発明の実施の形態】
以下、この発明の第１の実施の形態について図面を参照して詳細に説明する。図１は、この第１の実施の形態で説明する投射型の映像表示装置として、液晶プロジェクションＴＶ（Ｔｅｌｅｖｉｓｉｏｎ）受信機を示している。
【００２３】
すなわち、図１において、符号１１，１２，１３は、それぞれファイバレーザ装置である。これらのファイバレーザ装置１１，１２，１３からは、Ｒ（Ｒｅｄ），Ｇ（Ｇｒｅｅｎ），Ｂ（Ｂｌｕｅ）のレーザ光がそれぞれ出射される。
【００２４】
そして、各ファイバレーザ装置１１，１２，１３から出射されたＲ，Ｇ，Ｂのレーザ光は、それぞれの光に対応して設置された、空間変調手段を構成する液晶パネル１４，１５，１６に入射される。
【００２５】
一方、アンテナ１７で受信したテレビジョン放送信号は、チューナ１８で選局され、信号処理部１９で復調されて映像信号となる。そして、この映像信号が、ドライバ２０を介して、各液晶パネル１４，１５，１６に入力される。
【００２６】
これにより、各液晶パネル１４，１５，１６に入射されたＲ，Ｇ，Ｂのレーザ光は、それぞれ、映像信号によって空間変調を受け、ダイクロイックプリズム２１等の合成手段によって合成される。
【００２７】
そして、この合成光が、投射レンズ２２を介してスクリーン２３に拡大投射されることにより、テレビジョン放送の映像が表示されることになる。
【００２８】
図２は、上記ファイバレーザ装置１１の詳細を示している。この図２に示すファイバレーザ装置は、アップコンバージョンファイバレーザ装置である。なお、他のファイバレーザ装置１２，１３については、出射されるレーザ光の色が異なるだけで、ファイバレーザ装置１１と同様な構造であるため、それらの説明は省略する。
【００２９】
すなわち、励起用レーザ２４から出射された励起光２５は、特定の波長の光を反射させるミラー部２６に入射される。この場合、励起光２５は、ミラー部２６を完全に透過することができるようになっている。
【００３０】
このミラー部２６を透過した励起光２５は、ファイバ保持部２７に一端部が保持された光ファイバ２８内に入射される。この光ファイバ２８には、そのコア内に、希土類元素がレーザ活性物質として添加されている。
【００３１】
そして、この光ファイバ２８内に入射された励起光２５は、希土類に吸収されることにより特定の波長の光が放出される。
【００３２】
一方、この光ファイバ２８の他端部は、ファイバ保持部２９に保持されて、ミラー部３０に対向されている。そして、このミラー部３０によって特定の波長の光が共振され、レーザ光３１として液晶パネル１４に出力される。
【００３３】
ここで、出力側となるミラー部３０に、励起光を反射させる特性を持たせることにより、励起光の利用効率を高めることができる。この場合、ミラー部２９と光ファイバ２８との接続状態によっては共振状態が変化し、取り出されるレーザ出力が大きく変動してしまう可能性がある。
【００３４】
そこで、上述したファイバ保持部により、光ファイバとミラーとを所定の力で圧接した状態にすることで、光伝送損失の少ない安定したレーザ出力を得るようにしている。
【００３５】
図３は、上記したミラー部２６及びファイバ保持部２７の詳細な構成を示している。なお、ミラー部３０及びファイバ保持部２９については同様な構成であるため、その説明は省略する。
【００３６】
すなわち、上記ミラー部２６は、基台３２に支持されたミラー保持部３３と、このミラー保持部３３に保持されたミラー３４とから構成されている。このミラー３４は、例えば薄い平板ガラスに多層膜を蒸着したもので、その蒸着面が光ファイバ２８側を向くように設置されている。
【００３７】
また、上記ファイバ保持部２７は、内部に光ファイバ２８が遊挿される筒状のフェルール３５と、このフェルール３５から延出される光ファイバ２８を基台３２に支持する固定具３６とから構成されている。
【００３８】
フェルール３５は、ミラー３４の蒸着面に、ミラー３４と垂直になるように、ミラー保持部３３に嵌着されている。この際、ミラー保持部３３とフェルール３５との間には、隙間がないことが望ましい。これにより、光ファイバ２８の端面をミラー３４に接触させる際に、ミラー３４に垂直に押し当てることが可能となる。また、光ファイバ２８は、その端面が平坦になるように、ファイバカッター等で予めカットされている。
【００３９】
そして、光ファイバ２８をフェルール３５内に挿入し、光ファイバ２８がミラー３４に接触したところで、光ファイバ２８が折れない程度にさらに押し込むことにより、光ファイバ２８に元の状態に戻ろうとするテンションを掛け、そのままテンションが残るようにして、光ファイバ２８を固定具３６で基台３２に固定する。
【００４０】
図４は、上記固定具３６を示している。この固定具３６は、略直方体状に形成され、その基台３２に接触される面に、光ファイバ２８の周縁が嵌着される溝３６ａが形成されている。そして、この溝３６ａに光ファイバ２８の周縁を嵌合させた状態で、固定具３６を基台３２に固定することにより、光ファイバ２８をテンションを持たせた状態で固定することができる。なお、固定具３６の基台３２への取り付けは、ねじや接着剤等、種々の手法が使用可能である。
【００４１】
これにより、光ファイバ２８は、その元に戻ろうとするテンションによって、常に、その端面がミラー３４に圧接されることになる。このため、簡易な構成で光ファイバ２８とミラー３４とを効率的に光接続して光伝送損失の低減を図ることが可能となる。
【００４２】
また、光ファイバ２８の端面とミラー３４との間にマッチングオイル等を流し込むことにより、より伝送損失を低減させることが可能となる。
【００４３】
さらに、光ファイバ２８の端面をミラー３４に光学接着剤等を用いて接着することもできる。通常、接着する場合、接着剤により位置ずれや隙間等が生じてしまうが、光ファイバ２８がミラー３４に圧接されているため、このような問題はなくなる。つまり、光ファイバ２８とミラー３４とがしっかりと接触し、接続間の損失を低減して安定したレーザ出力を得ることができる。
【００４４】
図５は、この発明の第２の実施の形態を示すもので、上記したミラー部２６及びファイバ保持部２７の他の構成を示している。なお、ミラー部３０及びファイバ保持部２９についても同様な構成となるため、その説明は省略する。
【００４５】
すなわち、上記ミラー部２６は、円盤状に形成されたミラー３７と、このミラー３７の周縁部を保持する円筒形状のミラー保持部３８とから構成されている。このミラー３７は、例えば薄い平板ガラスに多層膜を蒸着したもので、その蒸着面が光ファイバ２８側を向くように設置されている。
【００４６】
一方、上記ファイバ保持部２７は、内部に光ファイバ２８が嵌着され、光ファイバ２８と一体化された円筒形状のフェルール３９を備えている。このフェルール３９は、その一方の端面が光ファイバ２８とともに平坦になるように研磨されている。このフェルール３９は、ミラー保持部３８に遊挿可能である。
【００４７】
また、上記ファイバ保持部２７は、内部に光ファイバ２８が遊挿された円筒形状の押圧部材４０を備えている。この押圧部材４０の一端には、鍔部４０ａが形成されている。そして、この鍔部４０ａは、フェルール３９の他方の端面に接触可能になっている。
【００４８】
さらに、上記ファイバ保持部２７は、押圧部材４０の鍔部４０ａとの間にばね４１を収容し、前記ミラー保持部３８に螺着される円筒形状のフェルール保持部４２を備えている。
【００４９】
そして、このフェルール保持部４２がミラー保持部３８に螺着された状態で、フェルール３９の一方の端面が光ファイバ２８とともにミラー３７に垂直に接触される。また、このとき、ばね４１の伸びようとする付勢力により、押圧部材４０を介してフェルール３９の一方の端面が光ファイバ２８とともにミラー３７に圧接されることになる。上記では、ばねを用いて説明しているが、圧接可能であれば、ネジなどを用いて締め込むようにしても良い。この場合、押圧部材４０に数箇所ネジ穴を開け、各ネジの先端が鍔部４０ａを押し込むような構成が必要となる。
【００５０】
これにより、上記した第１の実施の形態と同様に、簡易な構成で光ファイバ２８とミラー３７とを効率的に光接続して光伝送損失の低減を図ることが可能となる。なお、上記フェルール保持部４２とミラー保持部３８とは、螺着に限らず、接着剤等によって固定するようにしてもよい。
【００５１】
図６は、この発明の第３の実施の形態を示すもので、図５と同一部分には同一符号を付して示している。これは、光ファイバ２８とフェルール３９とを一体化した後、そのミラー３７に接触される端面を、所定の曲率を持って研磨するようにしたものである。
【００５２】
すなわち、光ファイバ２８とフェルール３９とを一体化した後、そのミラー３７に接触される端面を平坦に研磨すると、その研磨面が光ファイバ２８の長手方向に対して垂直とならず、ある角度を持って研磨される場合がある。
【００５３】
このような場合、フェルール３９をミラー３７と垂直に配置しても、研磨面が所定の角度を持って研磨されているため、フェルール３９の端面のエッジが先にミラー３７と接触し、光ファイバ２８とミラー３７との間に隙間ができてしまい、伝送損失が生じることになる。
【００５４】
これに対し、光ファイバ２８とフェルール３９との端面を、所定の曲率を持って研磨すると、常に、光ファイバ２８の先端がミラー３７に接触されるようになり、フェルール３９の端面のエッジによる悪影響を防止することができる。このため、平坦研磨よりもさらに伝送損失を低減することが可能となる。
【００５５】
図７は、この発明の第４の実施の形態を示すもので、上記したミラー部２６及びファイバ保持部２７の他の構成を示している。なお、ミラー部３０及びファイバ保持部２９についても同様な構成となるため、その説明は省略する。
【００５６】
すなわち、上記ミラー部２６は、円筒形状に形成されたミラー保持部４３を備えている。このミラー保持部４３には、その一端部に円盤状のミラー４４を収容する収容部４３ａが形成されている。
【００５７】
そして、この収容部４３ａ内において、ミラー４４は、その一方の面に、ファイバの外径以上の穴を有するリング状の押圧板４５を介してばね４６の付勢力が与えられることにより、収容部４３ａの内部に向かう方向、つまり、図６で右方向に付勢されている。上記では、ばねを用いて説明しているが、圧接可能であれば、弾力性のあるゴムなどを用いても良い。また、ネジなどを用いて締め込むようにした場合、ミラー保持部４３に数箇所ネジ穴を開け、各ネジの先端が押圧版４５を押し込むような構成が必要となる。
【００５８】
一方、上記ファイバ保持部２７は、内部に光ファイバ２８が嵌着され、光ファイバ２８と一体化された円筒形状のフェルール４７を備えている。そして、このフェルール４７は、光ファイバ２８とともに、その一方の端面が所定の曲率を持って研磨されている。このフェルール４７は、ミラー保持部４３に遊挿可能である。
【００５９】
また、上記ファイバ保持部２７は、内部に光ファイバ２８が遊挿された円筒形状の押圧部材４８を備えている。この押圧部材４８の一端には、鍔部４８ａが形成されている。そして、この鍔部４８ａは、フェルール４７の他方の端面に接触可能になっている。さらに、上記ファイバ保持部２７は、押圧部材４８の鍔部４８ａと係合し、前記ミラー保持部４３に螺着される円筒形状のフェルール保持部４９を備えている。
【００６０】
そして、このフェルール保持部４９がミラー保持部４３に螺着されると、光ファイバ２８の端面がミラー４４に接触し、さらに、ミラー４４をばね４６の付勢力に抗して移動させ、ここに、光ファイバ２８の端面がミラー４４に圧接されることになる。
【００６１】
これにより、上記した各実施の形態と同様に、簡易な構成で光ファイバ２８とミラー４４とを効率的に光接続して光伝送損失の低減を図ることが可能となる。なお、上記フェルール保持部４９とミラー保持部４３とは、螺着に限らず、接着剤等によって固定するようにしてもよい。また、一体化されたフェルール４７と光ファイバ２８との端面は、平坦研磨しても良いものである。
【００６２】
図８は、この発明の第５の実施の形態を示すもので、上記したミラー部２６及びファイバ保持部２７の他の構成を示している。なお、ミラー部３０及びファイバ保持部２９についても同様な構成となるため、その説明は省略する。
【００６３】
すなわち、上記ミラー部２６は、円盤状に形成されたミラー５０と、このミラー５０の周縁部を保持する円筒形状のミラー保持部５１と、このミラー保持部５１をその軸心方向に沿ってスライド自在に支持するホルダ５２とから構成されている。そして、このミラー保持部５１とホルダ５２とは、両者の間に係着されたばね５３によって、相互に引き合う方向に付勢力が与えられている。
【００６４】
一方、上記ファイバ保持部２７は、内部に光ファイバ２８が嵌着され、光ファイバ２８と一体化された円筒形状のフェルール５４を備えている。そして、このフェルール５４は、光ファイバ２８とともに、その一方の端面が所定の曲率を持って研磨されている。このフェルール５４は、ミラー保持部５１及びホルダ５２に遊挿可能である。
【００６５】
また、上記ファイバ保持部２７は、内部に光ファイバ２８が遊挿された円筒形状の押圧部材５５を備えている。この押圧部材５５の一端には、鍔部５５ａが形成されている。そして、この鍔部５５ａは、フェルール５４の他方の端面に接触可能になっている。さらに、上記ファイバ保持部２７は、押圧部材５５の鍔部５５ａと係合し、前記ホルダ５２に螺着される円筒形状のフェルール保持部５６を備えている。
【００６６】
そして、このフェルール保持部５６がホルダ５２に螺着されると、光ファイバ２８の端面がミラー５０に接触し、さらに、ミラー５０をばね５３の付勢力に抗して移動させ、ここに、光ファイバ２８の端面がミラー５０に圧接されることになる。
【００６７】
これにより、上記した各実施の形態と同様に、簡易な構成で光ファイバ２８とミラー５０とを効率的に光接続して光伝送損失の低減を図ることが可能となる。なお、上記フェルール保持部５６とホルダ５２とは、螺着に限らず、接着剤等によって固定するようにしてもよい。また、一体化されたフェルール５４と光ファイバ２８との端面は、平坦研磨しても良いものである。
【００６８】
図９は、液晶プロジェクションＴＶ受信機の他の例を示している。図９において、図１と同一部分には同一符号を付して説明すると、各ファイバレーザ装置１１，１２，１３から得られるＲ，Ｇ，Ｂ光を１つにまとめて巨視的（全体的）に見た場合の白色光を生成する。
【００６９】
そして、この白色光が、カラーフィルタ付きの液晶パネル５７に入射され、映像信号による空間変調が施された後、投射レンズ２２を介してスクリーン２３に拡大投射される。
【００７０】
なお、ファイバレーザ装置１１，１２，１３には、図３乃至図８に示したいずれのファイバレーザ装置が使用されても良いことはもちろんである。
【００７１】
図１及び図９に示した映像表示装置によれば、民生用ディスプレイ用途のファイバレーザ装置として、ミラーと光ファイバとを常にある力で押し付けられた状態にすることで、ミラーと光ファイバとがしっかりと接触し、接続間の損失を低減し安定したレーザ出力を得ることができる。
【００７２】
なお、この発明は上記した実施の形態そのままに限定されるものではなく、実施段階ではその要旨を逸脱しない範囲で構成要素を種々変形して具体化することができる。
【００７３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００７４】
【発明の効果】
以上詳述したようにこの発明によれば、簡易な構成で光ファイバとミラーとを効率的に光接続して光伝送損失の低減を図ることができ、実用に適するレーザ出力装置及びレーザ出力方法を提供することができる。また、この発明は、上記したレーザ出力装置を光源として用いた投射型の映像表示装置を提供することができる。
【図面の簡単な説明】
【図１】この発明の第１の実施の形態を示すもので、液晶プロジェクションＴＶ受信機を説明するために示す図。
【図２】同第１の実施の形態におけるファイバレーザ装置の構成を説明するために示す図。
【図３】同第１の実施の形態におけるファイバレーザ装置の要部の詳細な構成を説明するために示す図。
【図４】同第１の実施の形態における固定具の詳細な形状を説明するために示す斜視図。
【図５】この発明の第２の実施の形態を示すもので、ファイバレーザ装置の要部の詳細な構成を説明するために示す図。
【図６】この発明の第３の実施の形態を示すもので、ファイバレーザ装置の要部の詳細な構成を説明するために示す図。
【図７】この発明の第４の実施の形態を示すもので、ファイバレーザ装置の要部の詳細な構成を説明するために示す図。
【図８】この発明の第５の実施の形態を示すもので、ファイバレーザ装置の要部の詳細な構成を説明するために示す図。
【図９】各実施の形態に示されたファイバレーザ装置を光源として使用した液晶プロジェクションＴＶ受信機の他の例を説明するために示す図。
【符号の説明】
１１，１２，１３…ファイバレーザ装置、１４，１５，１６…液晶パネル、１７…アンテナ、１８…チューナ、１９…信号処理部、２０…ドライバ、２１…ダイクロイックプリズム、２２…投射レンズ、２３…スクリーン、２４…励起用レーザ、２５…励起光、２６…ミラー部、          ２７…ファイバ保持部、２８…光ファイバ、２９…ファイバ保持部、３０…ミラー部、３１…レーザ光、３２…基台、３３…ミラー保持部、３４…ミラー、３５…フェルール、３６…固定具、３７…ミラー、３８…ミラー保持部、３９…フェルール、４０…押圧部材、４１…ばね、４２…フェルール保持部、４３…ミラー保持部、４４…ミラー、４５…押圧板、４６…ばね、４７…フェルール、４８…押圧部材、４９…フェルール保持部、５０…ミラー、５１…ミラー保持部、５２…ホルダ、５３…ばね、５４…フェルール、５５…押圧部材、５６…フェルール保持部、５７…液晶パネル。
【図１】
2004356578.tif 000003
【図２】
2004356578.tif 000004
【図３】
2004356578.tif 000005
【図４】
2004356578.tif 000006
【図５】
2004356578.tif 000007
【図６】
2004356578.tif 000008
【図７】
2004356578.tif 000009
【図８】
2004356578.tif 000010
【図９】
2004356578.tif 000011